(57)【要約】【課題】  携帯端末に設けたソーラーパネルを、太陽光の入射方向に対し垂直な位置に、より近くなるよう自動的に設定する。【解決手段】  （ａ）のようにカバー１４を脚部として本体部１２の一端部が持ち上げられた状態で、本体部１２に内蔵されたバイブレータの振動により本体部１２をＡ方向に回転させ、当該回転中にカバー１４の裏面（図において奥側の面）上の太陽光センサが検出した受光量が最大となるときの本体部１２の方位を導出し、バイブレータの振動により本体部１２の向きを上記導出された方位に設定し、（ｂ）の状態に至る。次に、駆動モータによりカバー１４を軸１２Ａ周りに回転駆動することでカバー１４と本体部１２との成す角度を変化させ、当該回転中に受光量が最大となるときの角度を導出し、当該角度となるようカバー１４の位置を設定する。【選択図】  図７
2006033623.tif 000002
【特許請求の範囲】
【請求項１】
操作面を備えた携帯端末であって、
携帯端末本体の一端部近傍の軸を中心として回転可能とされ、前記操作面の少なくとも一部を覆う閉状態と前記軸を中心として回転させた後の開状態とが切り替わるよう構成されたカバーと、
前記カバーの両面及び携帯端末本体の操作面のうち少なくとも１つの面に設置されたソーラーパネルと、
前記ソーラーパネルと同じ面に設置され当該面における太陽光の受光量を検出する太陽光センサと、
前記携帯端末本体を回転させる駆動手段と、
前記携帯端末本体の方位を測定する方位測定器と、
前記駆動手段によって所定角度又は所定時間だけ前記携帯端末本体を回転させ、当該回転中に前記太陽光センサが検出した受光量及び当該検出時に前記方位測定器が測定した携帯端末本体の方位を記憶し、当該回転中における受光量が最大となるときの携帯端末本体の方位を導出する方位導出制御手段と、
前記駆動手段によって携帯端末本体を回転させることで、前記方位導出制御手段により導出された方位に当該携帯端末本体の向きを設定する方位設定制御手段と、
を備えた携帯端末。
【請求項２】
前記駆動手段は、
前記携帯端末本体の中心からずれた位置に内蔵され、当該携帯端末本体を振動させることで当該携帯端末本体を回転させる機能を持つバイブレータにより構成されたことを特徴とする請求項１記載の携帯端末。
【請求項３】
前記方位導出制御手段は、
前記駆動手段によって前記携帯端末本体を回転させる際に、前記ソーラーパネルが水平方向に対し傾斜した所定の状態で、当該携帯端末本体を回転させることを特徴とする請求項１又は２に記載の携帯端末。
【請求項４】
前記所定の状態は、
前記カバーを脚部として前記携帯端末本体の一端部が持ち上げられ当該カバーと当該携帯端末本体との成す角度が一定に保持された状態であることを特徴とする請求項３記載の携帯端末。
【請求項５】
前記軸を中心として前記カバーを回転駆動する回転駆動手段をさらに備え、
前記方位導出制御手段は、
所定のトリガーによって、前記回転駆動手段により前記カバーを閉状態から所定の駆動量だけ回転駆動することにより、前記携帯端末本体の初期状態を形成する、
ことを特徴とする請求項１〜４の何れか１項に記載の携帯端末。
【請求項６】
操作面を備えた携帯端末であって、
携帯端末本体の一端部近傍の軸を中心として回転可能とされ、前記操作面の少なくとも一部を覆う閉状態と前記軸を中心として回転させた後の開状態とが切り替わるよう構成されたカバーと、
前記軸を中心として前記カバーを回転駆動する回転駆動手段と、
前記カバーの両面及び携帯端末本体の操作面のうち少なくとも１つの面に設置されたソーラーパネルと、
前記ソーラーパネルと同じ面に設置され当該面における太陽光の受光量を検出する太陽光センサと、
前記カバーを脚部として前記携帯端末本体の一端部が持ち上げられ当該カバーと当該携帯端末本体との成す角度が一定に保持された初期状態で、前記回転駆動手段により前記カバーを回転駆動することで当該カバーと当該携帯端末本体との成す角度を変化させ、当該回転駆動中に前記太陽光センサが検出した受光量及び当該検出時における回転駆動手段の初期状態からの駆動量を記憶し、当該回転駆動中における受光量が最大となるときの回転駆動手段の駆動量を導出する駆動量導出制御手段と、
前記駆動量導出制御手段により導出された駆動量だけ、前記回転駆動手段により前記カバーを初期状態から回転駆動することで、前記カバーと前記携帯端末本体との成す角度を設定する角度設定制御手段と、
を備えた携帯端末。
【請求項７】
前記駆動量導出制御手段は、
所定のトリガーによって、前記回転駆動手段により前記カバーを閉状態から所定の駆動量だけ回転駆動することにより、前記携帯端末本体の初期状態を形成する、
ことを特徴とする請求項６記載の携帯端末。
【発明の詳細な説明】
【技術分野】
【０００１】
本発明は、操作面の少なくとも一部を覆うカバーと当該カバーの両面及び携帯端末本体の操作面のうち少なくとも１つの面に設置されたソーラーパネルとを備えた携帯端末に関する。
【背景技術】
【０００２】
携帯電話やＰＤＡ等の携帯端末は、内蔵したバッテリーから電力の供給を受けて稼働するが、そのバッテリーの充電容量には限りがある。そこで、太陽光を受光して発電する機能を備えたソーラーパネルを携帯端末の所定の面に設置し、携帯端末の不使用時に当該ソーラーパネルにより太陽光を受光して発電し、バッテリーの充電を図る技術が知られている。
【０００３】
ここで、太陽光を受光する際、ソーラーパネルは太陽光の入射方向に対し垂直な位置に近づけることが、受光効率の面から望ましい。このため、ソーラーパネルは、携帯端末の操作面のカバー表面など、当該操作面に対し所定角度を付けることが可能な面上に設置されることが多い。
【０００４】
ところで、上記カバーは、例えば、下記の特許文献１に記載されたように、携帯端末本体の一端部を持ち上げて支持するスタンドの役割も果す。このような状態（以下、「持ち上げ状態」という）であれば、ユーザにとって操作面上の表示画面やキー操作部が見易くなり、動画像の視聴やテレビ電話の利用も可能となる。このような持ち上げ状態は、将来、携帯端末の多くの利用シーンで見られるものと予想される。
【特許文献１】特開２０００−１８７５２８号公報
【発明の開示】
【発明が解決しようとする課題】
【０００５】
しかしながら、携帯端末における持ち上げ状態において、ソーラーパネルを、太陽光の入射方向に対し垂直な位置に、より近くなるよう位置の最適化を行う技術は提案されておらず、かかる技術は非常に待望されていた。また、持ち上げ状態に限らずとも、ソーラーパネルを、太陽光の入射方向に対し垂直な位置に、より近くなるよう位置の最適化を行う技術も非常に待望されていた。
【０００６】
本発明は、上記課題を解決するために成されたものであり、携帯端末に設けたソーラーパネルを、太陽光の入射方向に対し垂直な位置に、より近くなるよう自動的に設定することができる携帯端末を提供することを目的とする。
【課題を解決するための手段】
【０００７】
本願発明者は、ソーラーパネルを、太陽光の入射方向に対し垂直な位置に近くなるよう設定する上で、携帯端末本体の方位を最適化する技術と、持ち上げ状態におけるカバーと携帯端末本体との成す角度を最適化する技術とを発明した。
【０００８】
このうち、携帯端末本体の方位を最適化する技術は以下である。
【０００９】
上記目的を達成するために、本発明に係る携帯端末は、操作面を備えた携帯端末であって、携帯端末本体の一端部近傍の軸を中心として回転可能とされ、前記操作面の少なくとも一部を覆う閉状態と前記軸を中心として回転させた後の開状態とが切り替わるよう構成されたカバーと、前記カバーの両面及び携帯端末本体の操作面のうち少なくとも１つの面に設置されたソーラーパネルと、前記ソーラーパネルと同じ面に設置され当該面における太陽光の受光量を検出する太陽光センサと、前記携帯端末本体を回転させる駆動手段と、前記携帯端末本体の方位を測定する方位測定器と、前記駆動手段によって所定角度又は所定時間だけ前記携帯端末本体を回転させ、当該回転中に前記太陽光センサが検出した受光量及び当該検出時に前記方位測定器が測定した携帯端末本体の方位を記憶し、当該回転中における受光量が最大となるときの携帯端末本体の方位を導出する方位導出制御手段と、前記駆動手段によって携帯端末本体を回転させることで、前記方位導出制御手段により導出された方位に当該携帯端末本体の向きを設定する方位設定制御手段とを備えたことを特徴とする。
【００１０】
上記のような構成の携帯端末では、ソーラーパネルがカバーの両面及び携帯端末本体の操作面のうち少なくとも１つの面に設置され、方位導出制御手段は、駆動手段によって所定角度又は所定時間だけ携帯端末本体を回転させ、当該回転中に太陽光センサが検出した受光量及び当該検出時に方位測定器が測定した携帯端末本体の方位を記憶し、当該回転中における受光量が最大となるときの携帯端末本体の方位を導出する。
【００１１】
なお、ここで、駆動手段によって携帯端末本体を回転させる際には、ソーラーパネルが水平方向に対し傾斜した状態で回転させてもよいし、ソーラーパネルが水平方向に対し傾斜していない状態で回転させてもよい。即ち、ソーラーパネルは、携帯端末本体を回転させる前に傾斜させてもよいし、携帯端末本体を回転させた後で傾斜させてもよい。例えば、光が当たる場所と光が殆ど当たらない場所とが並存する環境に携帯端末が存在する場合などには、ソーラーパネルを傾けない状態で携帯端末本体を回転させることで、ソーラーパネルに多くの光が当たるような携帯端末本体の方位（向き）を導出することができる。
【００１２】
そして、方位設定制御手段は、駆動手段によって携帯端末本体を回転させることで、上記のように方位導出制御手段により導出された方位に当該携帯端末本体の向きを設定する。このようにして、携帯端末本体の方位（向き）を、太陽光の受光量が最大となるときの方位に設定することができる。
【００１３】
なお、上記の駆動手段は、例えば、携帯端末本体の中心からずれた位置に内蔵され、当該携帯端末本体を振動させることで当該携帯端末本体を回転させる機能を持つバイブレータにより構成することができる。
【００１４】
また、前述したように方位導出制御手段は、駆動手段によって携帯端末本体を回転させる際に、ソーラーパネルが水平方向に対し傾斜した所定の状態で、当該携帯端末本体を回転させる構成としてもよく、上記の「所定の状態」としては、例えば、カバーを脚部として携帯端末本体の一端部が持ち上げられ当該カバーと当該携帯端末本体との成す角度が一定に保持された状態を採用することができる。
【００１５】
上記携帯端末は、軸を中心としてカバーを回転駆動する回転駆動手段をさらに備え、方位導出制御手段が、所定のトリガーによって回転駆動手段によりカバーを閉状態から所定の駆動量だけ回転駆動することにより、携帯端末本体の初期状態を形成する構成とすることが望ましい。この場合、携帯端末本体の初期状態を自動的に形成することができる。なお、上記「所定のトリガー」としては、携帯端末のユーザが所定の操作を行ったタイミングや、太陽光センサにより太陽光の受光が検出されたタイミング等を採用することができる。
【００１６】
次に、持ち上げ状態におけるカバーと携帯端末本体との成す角度を最適化する技術は、以下である。
【００１７】
上記目的を達成するために、本発明に係る携帯端末は、操作面を備えた携帯端末であって、携帯端末本体の一端部近傍の軸を中心として回転可能とされ、操作面の少なくとも一部を覆う閉状態と軸を中心として回転させた後の開状態とが切り替わるよう構成されたカバーと、軸を中心としてカバーを回転駆動する回転駆動手段と、カバーの両面及び携帯端末本体の操作面のうち少なくとも１つの面に設置されたソーラーパネルと、ソーラーパネルと同じ面に設置され当該面における太陽光の受光量を検出する太陽光センサと、カバーを脚部として携帯端末本体の一端部が持ち上げられ当該カバーと当該携帯端末本体との成す角度が一定に保持された初期状態で、回転駆動手段によりカバーを回転駆動することで当該カバーと当該携帯端末本体との成す角度を変化させ、当該回転駆動中に太陽光センサが検出した受光量及び当該検出時における回転駆動手段の初期状態からの駆動量を記憶し、当該回転駆動中における受光量が最大となるときの回転駆動手段の駆動量を導出する駆動量導出制御手段と、駆動量導出制御手段により導出された駆動量だけ、回転駆動手段によりカバーを初期状態から回転駆動することで、カバーと携帯端末本体との成す角度を設定する角度設定制御手段とを備えたことを特徴とする。
【００１８】
上記のような構成の携帯端末では、カバーを脚部として携帯端末本体の一端部が持ち上げられ当該カバーと当該携帯端末本体との成す角度が一定に保持された初期状態を実現することができる。この初期状態で、駆動量導出制御手段は、回転駆動手段によりカバーを回転駆動することで当該カバーと当該携帯端末本体との成す角度を変化させ、当該回転駆動中に太陽光センサが検出した受光量及び当該検出時における回転駆動手段の初期状態からの駆動量を記憶し、当該回転駆動中における受光量が最大となるときの回転駆動手段の駆動量を導出する。そして、角度設定制御手段は、駆動量導出制御手段により導出された駆動量だけ、回転駆動手段によりカバーを初期状態から回転駆動することで、カバーと携帯端末本体との成す角度を設定する。
【００１９】
このようにして、携帯端末の持ち上げ状態において、カバーと携帯端末本体との成す角度を、太陽光の受光量が最大となるときの角度に設定できるので、ソーラーパネルを、太陽光の入射方向に対し垂直な位置に、より近くなるよう自動的に設定することができる。
【００２０】
上記携帯端末では、駆動量導出制御手段が、所定のトリガーによって回転駆動手段によりカバーを閉状態から所定の駆動量だけ回転駆動することにより、携帯端末本体の初期状態を形成する構成とすることが望ましい。この場合、携帯端末本体の初期状態を自動的に形成することができる。なお、上記の「所定のトリガー」も、前述と同様に、携帯端末のユーザが所定の操作を行ったタイミングや、太陽光センサにより太陽光の受光が検出されたタイミング等を採用することができる。
【発明の効果】
【００２１】
本発明によれば、携帯端末本体の方位（向き）を、太陽光の受光量が最大となるときの方位に設定できるので、ソーラーパネルを、太陽光の入射方向に対し垂直な位置に、より近くなるよう自動的に設定することができる。
【００２２】
また、携帯端末の持ち上げ状態において、カバーと携帯端末本体との成す角度を、太陽光の受光量が最大となるときの角度に設定できるので、ソーラーパネルを、太陽光の入射方向に対し垂直な位置に、より近くなるよう自動的に設定することができる。
【発明を実施するための最良の形態】
【００２３】
以下、図面を参照しながら、本発明の携帯端末の一実施形態を説明する。以下では、携帯端末の一例として、携帯電話の場合を説明する。なお、本発明は、携帯電話以外の携帯端末、例えば、ＰＨＳ、ＰＤＡ、ノート型パーソナルコンピュータ、ウエアラブルコンピュータ等にも適用可能であることは言うまでもない。
【００２４】
［携帯電話の構成］
図１には、本発明の特徴を備えた携帯電話１０の一構成例を示す。この図１に示すように、携帯電話１０は本体部１２とカバー１４とを備えており、本体部１２には、画像、文字、数字等を表示する表示部１１と、文字や数字等の入力及び操作指示等を行うための入力操作部１３とが設けられている。カバー１４は、本体部１２の上端部近傍を短辺方向に沿って貫通する軸１２Ａを中心として回転可能とされ、図１のように表示部１１を覆う閉状態と軸１２Ａを中心として回転させた後の開状態とが切り替わるよう構成されている。
【００２５】
図２には、携帯電話１０の主要構成を示す。本体部１２には、携帯電話１０の動作を制御するコントローラ２０と、携帯電話１０の各部への電力供給源としてのバッテリー２２と、図２において左下端部に内蔵され、本体部１２を振動させることで当該本体部１２を回転させる機能を持つバイブレータ２４と、本体部１２が位置している方位を測定するコンパス２６と、軸１２Ａを中心としてカバー１４を回転駆動する駆動部２８とが設けられている。駆動部２８は、図３（ａ）に示すように、駆動モータ２８Ｂと、コントローラ２０の制御の下で駆動モータ２８Ｂを開始・停止動作させる駆動回路２８Ａと、駆動モータ２８Ｂの回転数をカウントする回転数計測器２８Ｃとから構成されている。
【００２６】
図２のようにカバー１４を開いたときに出現するカバー１４の面には、太陽光を受光して発電する機能を備えたソーラーパネル１６と、当該面における太陽光の受光量を検出する太陽光センサ１８とが設けられている。図３（ｂ）に示すように、ソーラーパネル１６は、太陽光を受光し発電して得られた電力をバッテリー２２に供給し、バッテリー２２では当該電力が蓄えられる。
【００２７】
図３（ａ）に示すように、コントローラ２０は、太陽光センサ１８、バイブレータ２４、コンパス２６及び駆動部２８の各々に、図示しない制御線を介して接続され、太陽光センサ１８からの太陽光の受光量検出値、コンパス２６からの本体の方位測定値及び回転数計測器２８Ｃからの駆動モータ２８Ｂの回転数情報を取り込むことが可能とされている。
【００２８】
また、コントローラ２０は、後述の処理動作（図９〜図１２）の実行制御プログラムが記憶されたメモリ２０Ａを内蔵し、当該処理動作中に太陽光センサ１８からの太陽光の受光量検出値等のデータをメモリ２０Ａに記憶できるよう構成されている。
【００２９】
図４に示すように、バイブレータ２４は、モータ２４Ｂと、コントローラ２０の制御の下でモータ２４Ｂを開始・停止動作させる駆動回路２４Ａとを備え、モータ２４Ｂの回転軸２４Ｃの先端部には、半円柱状の回転子２４Ｄが設置されている。この回転子２４Ｄの重心は回転軸２４Ｃからずれているため、モータ２４Ｂの回転に伴い回転子２４Ｄが回転した場合、回転軸２４Ｃの周りに遠心力が発生しバイブレータ２４が振動することとなる。この振動は携帯電話１０全体へ伝わり、携帯電話１０全体が振動する。本願発明者は、図２において左下端部に、中心からずらして設置されたバイブレータ２４が振動することによって、図７（ａ）に示す後述の持ち上げ状態において矢印Ａ方向に本体部１２が回転することを発見した。この事象を利用して、後述の方位の最適化処理を発明した。
【００３０】
［携帯電話の動作］
本実施形態における携帯電話１０では、コントローラ２０による制御の下で、図９に示す一連の処理が実行される。即ち、持ち上げ状態の初期設定処理（Ｓ１）、方位の最適化処理（Ｓ２）、形成角の最適化処理（Ｓ３）が順に実行される。これら一連の処理が実行開始されるトリガーは、携帯電話１０のユーザが入力操作部１３により所定の実行指示操作を行ったタイミングである。なお、当該トリガーとしては、他に、太陽光センサ１８により太陽光の受光が検出されたタイミング等を採用してもよい。
【００３１】
以下、これらの処理を順に説明する。
【００３２】
図１０には、持ち上げ状態の初期設定処理の流れ図を示す。「持ち上げ状態」とは、図５（ｂ）及び図６に示すように、カバー１４が本体部１２の一端部を持ち上げて支持している状態を意味する。また、この持ち上げ状態においてカバー１４と本体部１２との成す角度α（図６参照）を、以下「形成角」という。
【００３３】
コントローラ２０は、図１０の持ち上げ状態の初期設定処理において以下の制御を行う。まず、駆動部２８にて駆動回路２８Ａにより駆動モータ２８Ｂを起動することによりカバー１４を開く（Ｓ１０）。これにより、図１の閉状態からカバー１４が徐々に開き、途中で図５（ａ）のような状態を経て、ついにはカバー１４が本体部１２の一端部を持ち上げることとなる。このとき駆動モータ２８Ｂの回転数は回転数計測器２８Ｃによりカウントされ、カウント結果（駆動モータ２８Ｂの回転数情報）はコントローラ２０に入力される。
【００３４】
そして、このＳ１０の動作は、コントローラ２０が駆動モータ２８Ｂの回転数が予め定められた初期状態設定用の回転数（所定回転数）に到達したと判断するまで（Ｓ１１で肯定判断されるまで）継続し、駆動モータ２８Ｂの回転数が所定回転数に到達したと判断された時点で、駆動モータ２８Ｂを停止する（Ｓ１２）。これにより、図５（ｂ）及び図６に示すような持ち上げ状態の初期設定が完了する。このようにして、持ち上げ状態に関する初期状態を自動的に形成することができる。
【００３５】
なお、図６に示すようにカバー１４が台９０に対してほぼ垂直に立っている本例の状態は、あくまでも初期状態の一例であり、初期状態はこれに限定されるものではない。また、上記Ｓ１１では、駆動モータ２８Ｂを起動してからの経過時間が所定時間に到達したか否かを判断してもよい。
【００３６】
図１１には、方位の最適化処理の流れ図を示す。コントローラ２０は、図１１の方位の最適化処理において以下の制御を行う。まず、持ち上げ状態の初期設定完了後の状態（図６及び図７（ａ））において、コンパス２６から初期の方位測定値を取り込み、取り込んだ初期の方位測定値をメモリ２０Ａに記憶する（Ｓ２０）。そして、バイブレータ２４を起動する（Ｓ２１）。これにより、本体部１２は、図７（ａ）の矢印Ａ方向に回転開始する。
【００３７】
その後、コントローラ２０は、太陽光センサ１８からの太陽光の受光量検出値及びコンパス２６からの本体部１２の方位測定値を取り込み、取り込んだ受光量検出値及び方位測定値の対をメモリ２０Ａに記憶する（Ｓ２２）。このＳ２２の処理は、方位測定値が、Ｓ２０でメモリに記憶した初期の方位測定値に戻った（即ち、本体部１２が１回転した）とコントローラ２０により判断されるまで（Ｓ２３で肯定判断されるまで）継続し、方位測定値が初期の方位測定値に戻ったと判断された時点で、バイブレータ２４を停止する（Ｓ２４）。
【００３８】
次に、コントローラ２０は、メモリ２０Ａに記憶された受光量検出値及び方位測定値の対の中から、受光量検出値が最大のときの方位測定値Ｄを導出する（Ｓ２５）。そして、バイブレータ２４を起動する（Ｓ２６）。これにより、本体部１２は、図７（ａ）の矢印Ａ方向に再び回転開始する。
【００３９】
その後、コントローラ２０は、コンパス２６からの本体部１２の方位測定値を取り込み、取り込んだ方位測定値をメモリ２０Ａに記憶する（Ｓ２７）。このＳ２７の処理は、方位測定値が、Ｓ２５で導出された方位測定値Ｄに到達したとコントローラ２０により判断されるまで（Ｓ２８で肯定判断されるまで）継続し、方位測定値が方位測定値Ｄに到達した（即ち、本体部１２の方位が受光量検出値最大のときの方位になった）と判断された時点で、バイブレータ２４を停止する（Ｓ２９）。これにより、例えば、図７（ｂ）に示すような、本体部１２の方位が受光量検出値最大のときの方位に設定された状態（方位が最適化された状態）となる。
【００４０】
なお、Ｓ２３では、方位測定値が初期の方位測定値に戻った（本体部１２が１回転した）か否かを判断する以外に、方位測定値が初期の方位測定値から３６０度未満の所定角度だけ変化したか否かを判断してもよいし、Ｓ２１でバイブレータを起動してからの経過時間が所定時間に到達したか否かを判断してもよい。これらの場合、Ｓ２６〜Ｓ２８で本体部１２の方位を方位測定値Ｄに設定する際に、図７（ａ）の矢印Ａ方向に本体部１２を回転させる以外に、矢印Ａとは逆方向に本体部１２を回転させてもよい。ここで矢印Ａとは逆方向に本体部１２を回転させるには、図２において右下端部に別のバイブレータを設置し、左下端部のバイブレータ２４のモータ２４Ｂとは逆方向に当該別のバイブレータのモータを回転させて本体部１２を振動させる方策を採用することができる。
【００４１】
図１２には、形成角の最適化処理の流れ図を示す。コントローラ２０は、図１２の形成角の最適化処理において以下の制御を行う。まず、図８（ａ）の方位の最適化処理完了後の状態において、駆動モータ２８Ｂを前述の持ち上げ状態の初期設定処理（図１０）とは逆方向に回転させるべく起動する（Ｓ３０）。これにより、カバー１４は図８（ａ）の矢印Ｂ方向に回転開始する。
【００４２】
その後、コントローラ２０は、太陽光センサ１８からの太陽光の受光量検出値及び回転数計測器２８Ｃからの駆動モータ２８Ｂの回転数情報を取り込み、取り込んだ受光量検出値及び駆動モータ２８Ｂの回転数情報の対をメモリ２０Ａに記憶する（Ｓ３１）。このＳ３１の処理は、駆動モータ２８Ｂの回転数が、予め定められた回転数Ｐ（即ち、カバー１４を回転させて受光量検出値が最大のものをサーチするための予め定められたサーチ範囲に相当する回転数）に到達したとコントローラ２０により判断されるまで（Ｓ３２で肯定判断されるまで）継続し、駆動モータ２８Ｂの回転数が回転数Ｐに到達した（即ち、所定サーチ範囲でのサーチが完了した）と判断された時点で、駆動モータ２８Ｂを停止する（Ｓ３３）。
【００４３】
次に、コントローラ２０は、メモリ２０Ａに記憶された受光量検出値及び駆動モータ２８Ｂの回転数情報の対の中から、受光量検出値が最大のときの駆動モータ２８Ｂの回転数Ｑを導出する（Ｓ３４）。そして、駆動モータ２８Ｂを前述のＳ３０とは逆方向に（即ち、持ち上げ状態の初期設定処理（図１０）と同じ方向（正方向）に）回転させるべく起動する（Ｓ３５）。これにより、カバー１４は図８（ｂ）の矢印Ｃ方向に回転開始する。
【００４４】
その後、コントローラ２０は、回転数計測器２８Ｃからの駆動モータ２８Ｂの回転数が（Ｐ−Ｑ）に到達したとコントローラ２０により判断されるまで（Ｓ３６で肯定判断されるまで）継続し、駆動モータ２８Ｂの回転数が（Ｐ−Ｑ）に到達した（即ち、形成角が受光量検出値最大のときの形成角になった）と判断された時点で、駆動モータ２８Ｂを停止する（Ｓ３７）。これにより、形成角が受光量検出値最大のときの形成角に設定された状態（形成角が最適化された状態）となる。なお、Ｓ３２では、駆動モータの起動（Ｓ３０）からの経過時間が所定時間に到達したか否かを判断してもよい。
【００４５】
以上説明した図９〜図１２の処理を実行することで、携帯電話１０の持ち上げ状態から本体部１２の方位（向き）を、ソーラーパネル１６の設置面における太陽光受光量が最大となるときの方位に設定することができる。また、携帯電話１０の持ち上げ状態からカバー１４と本体部１２との成す形成角を、ソーラーパネル１６の設置面における太陽光受光量が最大となるときの角度に設定することができる。
【００４６】
なお、図５（ｂ）及び図６に示す初期状態は、図１０に示す初期設定処理により自動的に形成する以外に、携帯電話１０のユーザが手動で形成してもよい。
【００４７】
また、上記実施形態では、方位の最適化処理（図１１）と形成角の最適化処理（図１２）の両方を実行する形態を説明したが、片方の処理のみを実行する形態であっても効果がある。即ち、方位の最適化処理を実行すれば、携帯電話１０の持ち上げ状態から本体部１２の方位（向き）を、最適な方位（ソーラーパネル１６の設置面における太陽光受光量が最大となるときの方位）に自動的に設定することができる。また、形成角の最適化処理を実行すれば、携帯電話１０の持ち上げ状態からカバー１４と本体部１２との成す形成角を、最適な角度（ソーラーパネル１６の設置面における太陽光受光量が最大となるときの角度）に設定することができる。
【００４８】
また、方位の最適化処理（図１１）と形成角の最適化処理（図１２）を実行する順番は、図９の流れ図の順番に限定されるものではなく、それとは逆の順番で上記２つの処理を実行してもよい。
【００４９】
また、携帯電話１０の構成については、上記実施形態の構成以外に以下のような構成を採用することもでき、同様の作用・効果を奏する。
【００５０】
例えば、図１のカバー１４は、本体部１２の操作面（入力操作部１３が設けられた面）の全体を覆うものであってもよい。
【００５１】
また、携帯電話１０としては、いわゆる「２つ折りの携帯電話」であってもよい。即ち、２つ折りの「一方の側」に入力操作部が、「他方の側」に表示部がそれぞれ設けられ、表示部上に透明なソーラーパネルが貼られ、「他方の側」が図６のカバー１４の役割を果すような構成を採用してもよい。また、２つ折りの携帯電話としては、図２のように本体部１２の上端部近傍の短辺方向に沿った軸で２つ折りとなる構成のものでもよいし、本体部１２の左端部（又は右端部）近傍の長辺方向に沿った軸で２つ折りとなる構成のものでもよい。
【００５２】
また、ソーラーパネル１６については、上記実施形態ではカバー１４の裏面（カバー１４を開くと出現する面）のみに設けた構成を示したが、この構成に限定されるものではなく、ソーラーパネル１６はカバー１４の表面、裏面、本体部１２の操作面（例えば表示部１１上に透明なソーラーパネルを貼る態様）のうち、１つ以上の面に設けることができる。このとき太陽光センサ１８もソーラーパネル１６のそれぞれと同じ面上に設けられる。例えば、ソーラーパネル１６を２つ以上の面に設けた場合、受光量としては、これら２つ以上の面上の太陽光センサ１８による受光量検出値の合計値を採用してもよいし、予め定められた主面上の太陽光センサ１８による受光量検出値を採用してもよい。
【００５３】
また、携帯電話１０の本体部１２を回転させる手段としては、上記のバイブレータ２４に限定されるものではなく、例えば、図１３に示すローラー回転機構３０を採用してもよい。図１３（ａ）には本体部１２に設置されたローラー回転機構３０を水平方向横から透視した図を示すが、ローラー回転機構３０は、モータ３０Ｂと、前述したコントローラ２０の制御の下でモータ３０Ｂを開始・停止動作させる駆動回路３０Ａとを備え、モータ３０Ｂの回転軸３０Ｃの先端部には、円柱状のローラー３０Ｄが設置されている。このローラー３０Ｄの下面は本体部１２の底面１２Ｂよりも少し下に出ているため、本体部１２を台に置いた場合、ローラー３０Ｄの下面は台に直接接触し、ローラー３０Ｄが回転することで本体部１２も回転することとなる。なお、モータ３０Ｂの駆動源となるエネルギーとしては、ソーラーパネルにより受光された太陽光の光エネルギーが充てられる。また、図１３（ｂ）には本体部１２の平面図を示すが、ローラー回転機構３０は本体部１２における中心部よりも上端部寄りの部位１２Ｃに設けられ、図１３（ｃ）に示すようにローラー回転機構３０は左右対称に構成されている。
【００５４】
図１４（ａ）に示す状態からモータ３０Ｂを駆動してローラー３０Ｄを矢印Ｄ方向に回転させることで、本体部１２は当該本体部１２における中心部よりも下端部寄りの部位を中心として少しの角度だけ回転し、図１４（ｂ）に実線で示す位置に至る（図１４（ｂ）の破線は元の位置を示す）。
【００５５】
このように、携帯電話１０の本体部１２を回転させる手段として、図１３に示すローラー回転機構３０を採用することもできる。
【００５６】
ところで、上記実施形態では「携帯端末本体の方位を最適化する技術」について、「携帯電話１０の持ち上げ状態」から方位を最適化する例を説明したが、これに限定されず、本発明は、「ソーラーパネルが水平方向から傾斜している状態」から方位を最適化する場合に、広く適用することができる。「ソーラーパネルが水平方向から傾斜している状態」としては、(1)表面にソーラーパネルが設けられたカバーを開いて水平方向から傾斜させることでソーラーパネルを水平方向から傾斜させた状態、(2)携帯電話の本体部を水平な面上に置いたとき当該本体部の操作面自体が水平方向から傾斜しているため実現する「当該操作面上のソーラーパネルが水平方向から傾斜した状態」などが挙げられる。
【００５７】
また、本発明は、「ソーラーパネルが水平方向から傾斜している状態」から方位を最適化することには限定されず、まず「ソーラーパネルが傾斜していない状態」で最適な方位（受光量が最大となる方位）を導出し、その後、ソーラーパネルを傾斜させるという順序で処理してもよい。例えば、光が当たる場所と光が殆ど当たらない場所とが並存する環境に携帯電話が存在する場合などには、ソーラーパネルを傾けない状態で携帯電話本体を回転させることで、ソーラーパネルに多くの光が当たるような携帯電話本体の方位（向き）を速やかに導出することができる。
【図面の簡単な説明】
【００５８】
【図１】本発明の実施形態における携帯電話の外観図である。
【図２】携帯電話の主要構成を示す図である。
【図３】（ａ）はコントローラを含む制御系の構成図であり、（ｂ）は発電及び充電関係の構成図である。
【図４】バイブレータの概略構成図である。
【図５】持ち上げ状態の初期設定処理を説明するための図であり、（ａ）はカバーを開く途中の状態を、（ｂ）は初期設定処理が完了した状態を、それぞれ示す。
【図６】初期設定処理が完了した状態の携帯電話の側面図である。
【図７】方位の最適化処理を説明するための図であり、（ａ）は開始時の状態を、（ｂ）は方位の最適化処理が完了した状態を、それぞれ示す。
【図８】形成角の最適化処理を説明するための図であり、（ａ）は開始時の状態を、（ｂ）は形成角の最適化処理の途中状態を、それぞれ示す。
【図９】携帯電話における一連の処理を示す流れ図である。
【図１０】持ち上げ状態の初期設定処理のサブルーチンを示す流れ図である。
【図１１】方位の最適化処理のサブルーチンを示す流れ図である。
【図１２】形成角の最適化処理のサブルーチンを示す流れ図である。
【図１３】（ａ）は本体部に設置されたローラー回転機構を水平方向横から透視した図であり、（ｂ）は本体部の平面図であり、（ｃ）は部位１２Ｃの拡大図である。
【図１４】（ａ）はローラー回転機構の動作説明における初期状態を示す図であり、（ｂ）は回転前後の状態を示す図である。
【符号の説明】
【００５９】
１０…携帯電話、１１…表示部、１２…本体部、１２Ａ…軸、１３…入力操作部、１４…カバー、１６…ソーラーパネル、１８…太陽光センサ、２０…コントローラ、２０Ａ…メモリ、２２…バッテリー、２４…バイブレータ、２４Ａ…駆動回路、２４Ｂ…モータ、２４Ｃ…回転軸、２４Ｄ…回転子、２６…コンパス、２８…駆動部、２８Ａ…駆動回路、２８Ｂ…駆動モータ、２８Ｃ…回転数計測器、３０…ローラー回転機構、３０Ａ…駆動回路、３０Ｂ…モータ、３０Ｃ…回転軸、３０Ｄ…ローラー、９０…台。
【図１】
2006033623.tif 000003
【図２】
2006033623.tif 000004
【図３】
2006033623.tif 000005
【図４】
2006033623.tif 000006
【図５】
2006033623.tif 000007
【図６】
2006033623.tif 000008
【図７】
2006033623.tif 000009
【図８】
2006033623.tif 000010
【図９】
2006033623.tif 000011
【図１０】
2006033623.tif 000012
【図１１】
2006033623.tif 000013
【図１２】
2006033623.tif 000014
【図１３】
2006033623.tif 000015
【図１４】
2006033623.tif 000016